(57)【特許請求の範囲】
【請求項１】
光源が取付けられた器具本体の下方に、吊具により樹脂部材が吊下げられた照明器具であって、
前記樹脂部材の内部に金属製の補強材を設けるとともに、前記補強材の前記樹脂部材に対向する取付面を反射面としたことを特徴とする照明器具。
【請求項２】
前記補強材と前記吊具との取付部が、前記光源の端部に設けられている口金付近または当該口金よりも端部に設けられていることを特徴とする請求項１記載の照明器具。
【請求項３】
前記樹脂部材と前記補強材との対向面間の前記樹脂部材に凸部を設けて微小な隙間を形成したことを特徴とする請求項１または２記載の照明器具。
【発明の詳細な説明】
【技術分野】
【０００１】
本発明は、天井等の被取付部に取付けて、光源が取付けられた器具本体の下方に、吊具により樹脂部材が吊下げられた照明器具に関するものである。
【背景技術】
【０００２】
図６に示すように、従来の天井１０１に取付ける照明器具１００では、器具本体１０２が天井１０１に取付けられており、器具本体１０２の内部には、光源である直管型の蛍光ランプ１０３が取付けられている。器具本体１０２内部における蛍光ランプ１０３の後方（上方）には反射板１０４が取付けられており、蛍光ランプ１０３から発せられた光を前方（下方）へ反射している。また、器具本体１０２内部における蛍光ランプ１０３の前方には、格子状のルーバー１０５が設けられており、照明器具１００の前方における蛍光ランプ１０３の眩しさを低減している（例えば特許文献１参照）。
【特許文献１】特開平３−２２３０４号公報（第１図）
【発明の開示】
【発明が解決しようとする課題】
【０００３】
ところで、前述したような従来の照明器具１００の前方（下方）に、樹脂部材を設けて、蛍光ランプ１０３からの照射光の一部を反射したり、一部を透過させたりして、照明を和らげたり、蛍光ランプ１０３の照射光を拡散したりすることが行われている。
このような樹脂部材を直接吊具に取付けると、樹脂部材の自重で垂れて変形したり、樹脂が劣化してクラックが発生して、強度不足により落下するおそれがあるという問題があった。
【０００４】
本発明は、従来の問題を解決するためになされたもので、樹脂部材を補強して、変形や落下を防止することのできる照明器具を提供することを目的とする。
【課題を解決するための手段】
【０００５】
本発明の照明器具は、光源が取付けられた器具本体の下方に、吊具により樹脂部材が吊下げられた照明器具であって、前記樹脂部材の内部に金属製の補強材を設けるとともに、前記補強材の前記樹脂部材に対向する取付面を反射面とした構成を有している。
【０００６】
この構成により、光源が取付けられた器具本体の下方に、吊具により吊下げられる樹脂部材の内部に、金属製の補強材を設けて、吊具により吊下げたので、樹脂部材を補強して、変形や落下を防止することができる。また、補強材における樹脂部材と対向する取付面を反射面としたので、外側から樹脂部材を見たときに、補強材が暗く映るのを防止することができる。
【０００７】
また、本発明の照明器具は、前記補強材と前記吊具との取付部が、前記光源の端部に設けられている口金付近または当該口金よりも端部に設けられている構成を有している。
【０００８】
この構成により、補強材と吊具との取付部が、光源が照射光を発する範囲の外側に設けられているので、外側から樹脂部材を見たときに、吊具が暗く映るのを防止することができる。
【０００９】
さらに、本発明の照明器具は、前記樹脂部材と前記補強材との対向面間の前記樹脂部材に凸部を設けて微小な隙間を形成した構成を有している。
【００１０】
この構成により、樹脂部材と補強材との対向面間に凸部を設けて微小な隙間を形成したので、補強材が樹脂部材に暗く映るのを防止することができる。
【発明の効果】
【００１１】
本発明は、光源が取付けられた器具本体の下方に、吊具により吊下げられる樹脂部材の内部に、金属製の補強材を設けて、吊具により吊下げたので、樹脂部材を補強して、変形や落下を防止することができる。また、補強材における樹脂部材と対向する取付面を反射面としたので、外側から樹脂部材を見たときに、補強材が暗く映るのを防止することができるという効果を有する照明器具を提供することができるものである。
【発明を実施するための最良の形態】
【００１２】
以下、本発明の第１実施形態にかかる照明器具について、図面を用いて説明する。
図１（Ａ）は本発明の第１実施形態にかかる照明器具の全体斜視図、（Ｂ）は端部の拡大斜視図、図２は照明器具の端面図および断面図、図３は樹脂部材と吊具との取付部を示す断面図、図４は補強材と吊具の全体斜視図、図５は補強材と吊具との取付部を示す斜視図である。
【００１３】
図１および図２に示すように、本発明の照明器具１０では、光源である蛍光ランプ２１が取付けられた器具本体２０が、被取付面である天井１１に設けられている取付用開口部１１ａに取付けられている。そして、器具本体２０の下方には、吊具である支持ポスト２４により樹脂部材３０が吊下げられており、蛍光ランプ２１からの照射光の一部を前方へ透過させたり、反射して周囲に拡散したりする。
【００１４】
器具本体２０は下方に開口部２０ａを有する矩形箱状の部材であり、器具本体２０の内部には、内部空間を蛍光ランプ２１の長手方向と直交する方向に横切るルーバー２６が、蛍光ランプ２１の長手方向に所定間隔で取り付けられている。器具本体２０下端部には矩形の枠体２５が取付けられている。枠体２５の、器具本体２０の長手方向両端部に対応する部分には、支持部材２２が取付けられており、支持部材２２には、支持ポスト２４が吊下げられている。支持ポスト２４の下端部には樹脂部材３０が取付けられている。また、器具本体２０の上には、点灯回路等の電気部品２３が取付けられている。
【００１５】
樹脂部材３０は、器具本体２０の開口部２０ｂの下方に支持ポスト２４により吊下げられており、蛍光ランプ２１の長手方向に沿って１対設けられている。１対の樹脂部材３０の間には、蛍光ランプ２１の真下位置に、蛍光ランプ２１からの直接光が通過する透光部である空間２７が設けられている。これにより、照明器具１０の正面前方は、蛍光ランプ２１によって直接照射されるので、明るく照らすことができる。
【００１６】
樹脂部材３０は、鉛直方向の縦板３１と、縦板３１の下端部から水平に設けられている半透過材３２と、縦板３１の上端部と半透過材３２の外側端とを結んで設けられている半反射材３３とから、三角筒形状に形成されている。
【００１７】
半反射材３３は外向きに傾斜しており、蛍光ランプ２１からの照射光の一部を外側情報へ反射するとともに、一部を下方（樹脂部材３０の内部）へ透過させて半透過材３２に入射させる。また、半透過材３２は、半反射材３３を透過した照射光の一部を下方へ透過させるものである。なお、縦板３１も、半透過材３２と同様に構成することができる。
【００１８】
支持ポスト２４の下端部は、樹脂部材３０上部の半反射材３３に設けられている切欠き３３ａを貫通して、縦板３１に取付けられている取付金具３４に、ナット３４ａにより取付けられている。
【００１９】
図３および図４に示すように、縦板３１には、樹脂部材３０の長手方向に沿って金属製の補強材としての補強板３５が取付けられている。補強板３５が対向する縦板３１の内面には、上下に凸部３１ａが設けられており、補強板３５と縦板３１との間に、微小な隙間を設けている。これにより、補強板３５が縦板３１に暗く映るのを防止している。なお、凸部を補強板３５側に設けることも可能である。
【００２０】
さらに、補強板３５の縦板３１に対向する取付面３５ａを、例えば白く塗って光を反射する反射面とすることにより、外側から樹脂部材３０を見たときに、補強板３５が暗く映るのを防止している。なお、補強板３５は、上端部を折り返して、長手方向および長手方向に直交する方向に対する剛性を大きくしている。
【００２１】
図４に示すように、補強板３５の前後両端部には、取付金具３４が取付けられている。取付金具３４は、蛍光ランプ２１の端部に設けられている口金（図示省略）付近または口金よりも端部側に設けるのが望ましい。これにより、外側から樹脂部材３０を見たときに、縦板３１に取付金具３４や支持ポスト２４が暗く映るのを防止することができる。
【００２２】
図５に示すように、取付金具３４は２面が直角に折り曲げられたＬ字形状をしており、その一方の面が、補強板３５に溶接等により取付けられている。従って、支持ポスト２４が取付けられる面は、補強板３５および縦板３１に対して直交する方向に設けられ、支持ポスト２４によって樹脂部材３０を吊下げたときに、下面である半透過材３２が水平に取り付けられることになる。
なお、樹脂部材３０の両端部にはエンドプレート３６が取付けられており、樹脂部材３０の内部が見えないように覆っている（図２参照）。
【００２３】
以上、説明した本発明にかかる照明器具１０によれば、蛍光ランプ２１が取付けられた器具本体２０の下方に、支持ポスト２４により吊下げられる樹脂部材３０の内部に、金属製の補強板３５を設けて、支持ポスト２４により吊下げたので、樹脂部材３０を補強して、変形や落下を防止することができる。また、補強板３５における取付面３５ａを反射面としたので、外側から樹脂部材３０を見たときに、補強板３５が暗く映るのを防止することができる。
【００２４】
なお、本発明の照明器具は、前述した実施形態に限定されるものでなく、適宜な変形，改良等が可能である。
例えば、前述した実施形態においては、樹脂部材３０を器具本体２０の下方に、左右１対設けた場合を例示したが、本数は限定するものではない。また、樹脂部材３０の断面形状も三角形に限定するものではない。
【図面の簡単な説明】
【００２５】
【図１】（Ａ）は本発明の第１実施形態にかかる照明器具の全体斜視図、（Ｂ）は端部の拡大斜視図
【図２】照明器具の端面図および断面図
【図３】樹脂部材と吊具との取付部を示す断面図
【図４】補強材と吊具の全体斜視図
【図５】補強材と吊具との取付部を示す斜視図
【図６】従来の照明器具の断面図
【符号の説明】
【００２６】
１０  照明器具
２０  器具本体
２１  蛍光ランプ（光源）
２４  支持ポスト（吊具）
３０  樹脂部材
３１ａ  凸部
３５  補強板（補強材）
３５ａ  取付面
【図１】
0005269479.tif 000002
【図２】
0005269479.tif 000003
【図３】
0005269479.tif 000004
【図４】
0005269479.tif 000005
【図５】
0005269479.tif 000006
【図６】
0005269479.tif 000007